(57)【要約】【課題】  複数本のランプから入射され、導光板から出射される光の輝度をほぼ一定に保ったまま、その色度を適切に調整することができるようにする。【解決手段】  バックライト装置１において、２つのランプ１２−Ａとランプ１２−Ｂのそれぞれは、予め設定された２つの色度座標のそれぞれに対応する色度で発光するように製作されている。導光板１１は、ランプ１２−Ａとランプ１２−Ｂの光を入射し、それらの光を混合した光をLCD２に出射する。インバータユニット１３は、ランプ１２−Ａとランプ１２−Ｂのそれぞれを駆動し、導光板１１から出射される光、即ち、LCD２から出射される光の色度の色度座標の目標値に応じてランプ１２−Ａとランプ１２−Ｂのそれぞれの電流の配分比を設定し、その設定に基づいてランプ１２−Ａとランプ１２−Ｂのそれぞれの電流を個別に制御する。本発明は、液晶表示装置用のバックライト装置に適用可能である。【選択図】  図１
2005116297.tif 000002
【特許請求の範囲】
【請求項１】
予め設定された色度座標のそれぞれに対応する色度で発光するようにそれぞれ製作された複数のランプと、
複数の前記ランプのそれぞれからの光を入射し、所定の方向に出射する導光板と、
複数の前記ランプのそれぞれを駆動し、前記導光板から出射される前記光の色度の色度座標の目標値に応じて複数の前記ランプのそれぞれの電流の配分比を設定し、その設定に基づいて複数の前記ランプのそれぞれの電流を個別に制御するランプ駆動装置と
を備えることを特徴とする照明装置。
【請求項２】
前記ランプ駆動装置は、前記導光板から出射される前記光の色度の色度座標の前記目標値に加えて、さらに、複数の前記ランプのそれぞれの温度上昇の差異に応じて複数の前記ランプのそれぞれの電流の配分比を設定し、その設定に基づいて複数の前記ランプのそれぞれの電流を個別に制御する
ことを特徴とする請求項１に記載の照明装置。
【請求項３】
複数の前記ランプの全ては、前記導光板の表面と垂直な面のうちの所定の面側に、その面と略平行に配置される
ことを特徴とする請求項１に記載の照明装置。
【請求項４】
複数の前記ランプは、同一の色度座標の色度で発光するように製作された１以上の前記ランプを集合させた組を単位として複数の組に区分されており、
前記ランプ駆動装置は、複数の前記組毎に、同一の前記組に属する前記ランプの全ての電流をほぼ同一のレベルで安定させる制御を実行する
ことを特徴とする請求項１に記載の照明装置。
【請求項５】
複数の前記ランプは、１以上の所定の本数の前記ランプからなる第１の組と、前記第１の組と同本数の前記ランプからなる第２の組とに区分されており、
前記第１の組に属する前記ランプの全ては、前記導光板の表面と垂直な面のうちの第１の面側に、その第１の面と略平行に配置され、かつ、前記第２の組に属する前記ランプの全ては、前記第１の面と対向する第２の面側に、その第２の面と略平行に配置される
ことを特徴とする請求項４に記載の照明装置。
【請求項６】
複数の前記ランプは、１以上の所定の本数の前記ランプからなる第１の組と、前記第１の組と同本数の前記ランプからなる第２の組とに区分されており、
前記第１の組に属する前記ランプの全ては、色度図における黒体曲線上の第１の色度で発光するように製作されており、
前記第２の組に属する前記ランプの全ては、前記黒体曲線上の前記第１の色度とは異なる第２の色度で発光するように製作されている
ことを特徴とする請求項４に記載の照明装置。
【請求項７】
複数の前記ランプは、色度図における黒体曲線を包含するＮ（Ｎは、３以上の整数値）角形状の領域のＮ個の頂点のうちの何れか１つに対応する色度で発光するように製作されており、同一の色度で発光するように製作された１以上の前記ランプを集合させた組を単位としてＮ組に区分されている
ことを特徴とする請求項４に記載の照明装置。
【請求項８】
前記ランプ駆動装置は、複数の前記ランプのそれぞれの電流のレベルの総和をほぼ一定のレベルで安定させる制御をさらに実行しながら、複数の前記ランプのそれぞれの電流を個別に制御する
ことを特徴とする請求項１に記載の照明装置。
【請求項９】
予め設定された色度座標のそれぞれに対応する色度で発光するようにそれぞれ製作された複数のランプと、複数の前記ランプのそれぞれからの光を入射し、所定の方向に出射する導光板とを少なくとも備える照明装置の照明方法において、
複数の前記ランプのそれぞれを駆動し、複数の前記ランプのそれぞれを駆動し、前記導光板から出射される前記光の目標の色度に対応する前記色度座標平面上の目標点に応じて複数の前記ランプのそれぞれの電流の配分比の設定を可変し、その設定に基づいて複数の前記ランプのそれぞれの電流を個別に制御するランプ駆動ステップ
を含むことを特徴とする照明方法。
【請求項１０】
予め設定された色度座標のそれぞれに対応する色度で発光するようにそれぞれ製作された複数のランプと、
複数の前記ランプのそれぞれからの光を入射し、所定の方向に出射する導光板と、
前記導光板からの光を入射し、その光を利用して画像を表示する表示パネルと、
複数の前記ランプのそれぞれを駆動し、前記導光板から出射される前記光の色度の色度座標の目標値に応じて複数の前記ランプのそれぞれの電流の配分比を設定し、その設定に基づいて複数の前記ランプのそれぞれの電流を個別に制御するランプ駆動装置と
を備えることを特徴とする表示装置。
【請求項１１】
予め設定された色度座標のそれぞれに対応する色度で発光するようにそれぞれ製作された複数のランプと、複数の前記ランプのそれぞれからの光を入射し、所定の方向に出射する導光板と、前記導光板からの光を入射し、その光を利用して画像を表示する表示パネルとを少なくとも備える表示装置の表示方法において、
複数の前記ランプのそれぞれを駆動し、前記導光板から出射される前記光の色度の色度座標の目標値に応じて複数の前記ランプのそれぞれの電流の配分比を設定し、その設定に基づいて複数の前記ランプのそれぞれの電流を個別に制御するランプ駆動ステップ
を含むことを特徴とする表示方法。
【発明の詳細な説明】
【技術分野】
【０００１】
本発明は、照明装置および方法、並びに、表示装置および方法に関し、特に、複数本のランプから入射され、導光板から出射される光の輝度をほぼ一定に保ったまま、その色度を適切に調整することができる、照明装置および方法、並びに、表示装置および方法に関する。
【背景技術】
【０００２】
近年、液晶表示装置が普及してきている。この液晶表示装置は、その液晶パネルに入射された光の透過率を画素毎に制御することで画像を表示している。従って、この液晶パネルに光を入射させるバックライト装置が、液晶パネルの裏面側に組み込まれていることが多い。
【０００３】
このバックライト装置の光源は、ノート型のパーソナルコンピュータ等では１本のランプ（蛍光灯等）であることが多いのに対して、据え置き型のパーソナルコンピュータやテテレビジョン受像機等では複数本のランプ（蛍光灯等）であることが多い（特許文献１乃至特許文献４参照）。
【０００４】
ところで、液晶表示装置においては、液晶パネルから出射される光の目標色度（色度座標の目標値）に対応して、バックライト装置のランプから放射される光の色度（色度座標）が決められていた。換言すると、例えば、液晶パネルから色温度が6500度や 9300度である色度の光を出すことが目標とされている場合（色度図における黒体曲線上の6500度や9300度に対応する色度（点）の色度座標が目標値とされている場合）、ランプは次のようにして製作されている。即ち、液晶パネルの液晶表面で目標の色度を出すために、ランプから液晶パネルまでの間での色減衰による色度変化等が考慮された上、それに対応した蛍光体が調合されてランプが製作されている。即ち、目標色度に応じて、その蛍光体の調合種類が設定されることになる。
【特許文献１】特開平１１−１７４９７６号公報
【特許文献２】特開平９−２９２６１４号公報
【特許文献３】特開平８−２８６１８４号公報
【特許文献４】特開２００１−３５１４２５号公報
【発明の開示】
【発明が解決しようとする課題】
【０００５】
従来、ランプが複数本の場合でも、このランプの調合は１種類で設定されていることが多い。即ち、同一種類の調合により作られた複数のランプ（同一の色度座標の色度で発光するように製作された複数のランプ）が、バックライト装置用のランプとして使用されることが多かった。
【０００６】
このため、経年劣化等で複数のランプのそれぞれから放射される光の色度がばらつくと、液晶表面から出射される光の色度が、出荷当時のそれと比較して変化してしまうという第１の課題があった。また、出荷された液晶表示装置の色温度をユーザの好みに応じて後から変えることは困難であるという第２の課題があった。
【０００７】
なお、特許文献１においては、３原色のそれぞれを発光する３つのランプを用いることが開示されている。しかしながら、特許文献１によると、これら３つのランプは同時に点灯することがなく、このため、特許文献１の発明は、上述した第１の課題と第２の課題を有する従来の技術（複数のランプの同時点灯が前提となっている技術）とは直接関係がない。従って、特許文献１の発明では、第１の課題と第２の課題のいずれも解決することは困難である。
【０００８】
また、特許文献２によると、複数の光源（蛍光灯等）のうちの、互いに隣接する光源同士で、蛍光膜の塗布方向が反対となるように配置させることが単に開示されているだけであり、結局、特許文献２の発明も、第１の課題と第２の課題を有することになる。ところが、特許文献２には、第１の課題と第２の課題が発生することは、開示はおろか示唆もなされていない。従って、当然ながら、特許文献２の発明では、第１の課題と第２の課題を解決することは困難である。
【０００９】
一方、特許文献３と特許文献４によると、複数のランプのそれぞれの電流を個別に制御することで、バックライト装置から出射される光の色度を設定することが開示されている。これにより、第１の課題と第２の課題をある程度解決することができる。
【００１０】
しかしながら、特許文献３と特許文献４の発明では、次のような新たな第３の課題が発生してしまう。即ち、第３の課題とは、複数のランプのそれぞれの電流を単に個別に制御するだけでは、バックライト装置から出射される輝度がばらついてしまうという課題である。
【００１１】
本発明は、このような状況に鑑みてなされたものであり、複数本のランプから入射され、導光板から出射される光の輝度をほぼ一定に保ったまま、その色度を適切に調整することができるようにするものである。
【課題を解決するための手段】
【００１２】
本発明の照明装置は、予め設定された色度座標のそれぞれに対応する色度で発光するようにそれぞれ製作された複数のランプと、複数のランプのそれぞれからの光を入射し、所定の方向に出射する導光板と、複数のランプのそれぞれを駆動し、導光板から出射される光の色度の色度座標の目標値に応じて複数のランプのそれぞれの電流の配分比を設定し、その設定に基づいて複数のランプのそれぞれの電流を個別に制御するランプ駆動装置とを備えることを特徴とする。
【００１３】
ランプ駆動装置は、導光板から出射される光の色度の色度座標の目標値に加えて、さらに、複数のランプのそれぞれの温度上昇の差異に応じて複数のランプのそれぞれの電流の配分比を設定し、その設定に基づいて複数のランプのそれぞれの電流を個別に制御するようにすることができる。
【００１４】
複数のランプの全ては、導光板の表面と垂直な面のうちの所定の面側に、その面と略平行に配置されるようにすることができる。
【００１５】
複数のランプは、同一の色度座標の色度で発光するように製作された１以上のランプを集合させた組を単位として複数の組に区分されており、ランプ駆動装置は、複数の組毎に、同一の組に属するランプの全ての電流をほぼ同一のレベルで安定させる制御を実行するようにすることができる。
【００１６】
複数のランプは、１以上の所定の本数のランプからなる第１の組と、第１の組と同本数のランプからなる第２の組とに区分されており、第１の組に属するランプの全ては、導光板の表面と垂直な面のうちの第１の面側に、その第１の面と略平行に配置され、かつ、第２の組に属するランプの全ては、第１の面と対向する第２の面側に、その第２の面と略平行に配置されるようにすることができる。
【００１７】
複数のランプは、１以上の所定の本数のランプからなる第１の組と、第１の組と同本数のランプからなる第２の組とに区分されており、第１の組に属するランプの全ては、色度図における黒体曲線上の第１の色度で発光するように製作されており、第２の組に属するランプの全ては、黒体曲線上の第１の色度とは異なる第２の色度で発光するように製作されているようにすることができる。
【００１８】
複数のランプのそれぞれは、色度図における黒体曲線を包含するＮ（Ｎは、３以上の整数値）角形状の領域のＮ個の頂点のうちの何れか１つに対応する色度で発光するように製作されており、同一の色度で発光するように製作された１以上のランプを集合させた組を単位としてＮ組に区分されているようにすることができる。
【００１９】
ランプ駆動装置は、複数のランプのそれぞれの電流のレベルの総和を一定のレベルで安定させる制御をさらに実行しながら、複数のランプのそれぞれの電流を個別に制御するようにすることができる。
【００２０】
本発明の照明装置においては、予め設定された色度座標のそれぞれに対応する色度で発光するようにそれぞれ製作された複数のランプのそれぞれが駆動され、その結果、複数のランプのそれぞれから発せられた光が導光板に入射され、所定の方向に出射される。このとき、導光板から出射される光の色度の色度座標の目標値に応じて複数のランプのそれぞれの電流の配分比が設定され、その設定に基づいて複数のランプのそれぞれの電流が個別に制御される。
【００２１】
本発明の照明方法は、予め設定された色度座標のそれぞれに対応する色度で発光するようにそれぞれ製作された複数のランプと、複数のランプのそれぞれからの光を入射し、所定の方向に出射する導光板とを少なくとも備える照明装置の照明方法であって、複数のランプのそれぞれを駆動し、導光板から出射される光の色度の色度座標の目標値に応じて複数のランプのそれぞれの電流の配分比を設定し、その設定に基づいて複数のランプのそれぞれの電流を個別に制御するランプ駆動ステップを含むことを特徴とする。
【００２２】
本発明の照明方法においては、予め設定された色度座標のそれぞれに対応する色度で発光するようにそれぞれ製作された複数のランプと、複数のランプのそれぞれからの光を入射し、所定の方向に出射する導光板とを少なくとも備える照明装置が対象とされる。即ち、複数のランプのそれぞれが駆動され、導光板から出射される光の色度の色度座標の目標値に応じて複数のランプのそれぞれの電流の配分比が設定され、その設定に基づいて複数のランプのそれぞれの電流が個別に制御される。
【００２３】
本発明の表示装置は、予め設定された色度座標のそれぞれに対応する色度で発光するようにそれぞれ製作された複数のランプと、複数のランプのそれぞれからの光を入射し、所定の方向に出射する導光板と、導光板からの光を入射し、その光を利用して画像を表示する表示パネルと、複数のランプのそれぞれを駆動し、導光板から出射される光の色度の色度座標の目標値に応じて複数のランプのそれぞれの電流の配分比を設定し、その設定に基づいて複数のランプのそれぞれの電流を個別に制御するランプ駆動装置とを備えることを特徴とする。
【００２４】
本発明の表示装置においては、予め設定された色度座標のそれぞれに対応する色度で発光するようにそれぞれ製作された複数のランプのそれぞれが駆動され、その結果、複数のランプのそれぞれから発せられた光が導光板を通じて、画像を表示する表示パネルに入射される。このとき、導光板から出射される光の色度の色度座標の目標値に応じて複数のランプのそれぞれの電流の配分比が設定され、その設定に基づいて複数のランプのそれぞれの電流が個別に制御される。
【００２５】
本発明の表示方法は、予め設定された色度座標のそれぞれに対応する色度で発光するようにそれぞれ製作された複数のランプと、複数のランプのそれぞれからの光を入射し、所定の方向に出射する導光板と、導光板からの光を入射し、その光を利用して画像を表示する表示パネルとを少なくとも備える表示装置の照明方法であって、複数のランプのそれぞれを駆動し、導光板から出射される光の色度の色度座標の目標値に応じて複数のランプのそれぞれの電流の配分比を設定し、その設定に基づいて複数のランプのそれぞれの電流を個別に制御するランプ駆動ステップを含むことを特徴とする。
【００２６】
本発明の表示方法においては、予め設定された色度座標のそれぞれに対応する色度で発光するようにそれぞれ製作された複数のランプと、複数のランプのそれぞれからの光を入射し、所定の方向に出射する導光板と、導光板からの光を入射し、その光を利用して画像を表示する表示パネルとを少なくとも備える表示装置が対象とされる。即ち、複数のランプのそれぞれが駆動され、導光板から出射される光の色度の色度座標の目標値に応じて複数のランプのそれぞれの電流の配分比が設定され、その設定に基づいて複数のランプのそれぞれの電流が個別に制御される。
【発明の効果】
【００２７】
以上のごとく、本発明によれば、予め設定された色度座標のそれぞれに対応する色度で発光するようにそれぞれ製作された複数のランプと、複数のランプのそれぞれからの光を入射し、所定の方向に出射する導光板とを少なくとも備える照明装置や、その照明装置からの光を利用して画像を表示する表示装置を提供することができる。特に、この照明装置や表示装置に対して、複数本のランプから入射され、導光板から出射される光の輝度をほぼ一定に保ったまま、その色度を適切に調整することができる。
【発明を実施するための最良の形態】
【００２８】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２９】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００３０】
本発明によれば、照明装置が提供される。この照明装置（例えば、図１と図２のバックライト装置１、図１０若しくは図１１に示される回路や装置を構成要素に含むバックライト装置、または、図１２と図１３のバックライト装置１０１）は、予め設定された色度座標に対応する色度（例えば、図３の色度図における色度（点）３５や色度（点）３６、または、図１４の色度図における色度（点）１５１−Ａ乃至色度（点）１５１−Ｄ）の光を発するようにそれぞれ製作された複数のランプ（例えば、図１と図２のランプ１２−Ａとランプ１２−Ｂ、または、図１２と図１３のランプ１２−Ａ乃至ランプ１２−Ｄ）と、複数の前記ランプのそれぞれからの光を入射し、所定の方向に出射する導光板（例えば、図１等の導光板１１）と、複数の前記ランプのそれぞれを駆動し、前記導光板から出射される前記光の色度の色度座標の目標値に応じて複数の前記ランプのそれぞれの電流の配分比を設定し、その設定（例えば、図２等の電流指令部２１から出力される個別輝度制御信号Ａと個別輝度制御信号Ｂ、または、図１３等の電流指令部１２１から出力される個別輝度制御信号Ａ乃至輝度制御信号Ｄ）に基づいて複数の前記ランプのそれぞれの電流を個別に制御するランプ駆動装置（例えば、図２のインバータユニット１３、図１０に示されるランプ駆動装置、図１１における、電流指令装置９１、ランプ駆動装置（インバータユニット）９２−Ａ、およびランプ駆動装置（インバータユニット）９２−Ｂからなるシステム、または、図１２と図１３のインバータユニット１１１等）を備えることを特徴とする。
【００３１】
この照明装置においては、複数の前記ランプの全ては、前記導光板の表面と垂直な面のうちの所定の面（例えば、図１の面１１−１）側に、その面と略平行に配置される（例えば、図１や図２に示されるように配置される）ことができる。
【００３２】
この照明装置においては、複数の前記ランプは、同一の色度座標の色度で発光するように製作された１以上の前記ランプを集合させた組を単位として複数の組（例えば、図１２において、ランプ１２−Ａとランプ１２−Ｂとからなる第１の組と、ランプ１２−Ｃとランプ１２−Ｄとからなる第２の組。或いは、図１において、ランプ１２−Ａを第１の組として捉え、ランプ１２−Ｂを第２の組として捉えることもできる）に区分されており、前記ランプ駆動装置は、複数の前記組毎に、同一の前記組に属する前記ランプの全ての電流をほぼ同一のレベルで安定させる制御を実行することができる。
【００３３】
この照明装置においては、複数の前記ランプは、１以上の所定の本数の前記ランプからなる第１の組と、前記第１の組と同本数の前記ランプからなる第２の組とに区分されており（例えば、図１２において、ランプ１２−Ａとランプ１２−Ｂとからなる第１の組と、ランプ１２−Ｃとランプ１２−Ｄとからなる第２の組に区分されている。或いは、図１において、ランプ１２−Ａからなる第１の組と、ランプ１２−Ｂからなる第２の組とに区分されていると捉えることもできる）、前記第１の組に属する前記ランプの全ては、前記導光板の表面と垂直な面のうちの第１の面（例えば、図１２の組み分けの場合の例では、面１１−２）側に、その第１の面と略平行に配置され（例えば、図１２の組み分けの場合の例では、図１２と図１３に示されるように配置され）、かつ、前記第２の組に属する前記ランプの全ては、前記第１の面と対向する第２の面（例えば、図１２の組み分けの場合の例では、面１１−１）側に、その第２の面と略平行に配置される（例えば、図１２の組み分けの場合の例では、図１２と図１３に示されるように配置される）ことができる。
【００３４】
この照明装置においては、複数の前記ランプは、１以上の所定の本数の前記ランプからなる第１の組と、前記第１の組と同本数の前記ランプからなる第２の組とに区分されており（例えば、図１２において、ランプ１２−Ａとランプ１２−Ｂとからなる第１の組と、ランプ１２−Ｃとランプ１２−Ｄとからなる第２の組に区分されている。或いは、図１において、ランプ１２−Ａからなる第１の組と、ランプ１２−Ｂからなる第２の組とに区分されていると捉えることもできる）、前記第１の組に属する前記ランプの全ては、色度図（例えば、図３の色度図）における黒体曲線（例えば、図３の曲線３３）上の第１の色度（例えば、図３の色度（点）３５）で発光するように製作されており、前記第２の組に属する前記ランプの全ては、前記黒体曲線上の前記第１の色度とは異なる第２の色度（例えば、図３の色度（点）３６）で発光するように製作されていることが可能である。
【００３５】
この照明装置において、複数の前記ランプは、色度図（例えば、図１４の色度図）における黒体曲線（例えば、図１４の曲線３３）を包含するＮ（Ｎは、３以上の整数値であって、例えば、Ｎ＝４とする）角形状の領域（例えば、図１４の四角形状の領域１６１）のＮ個の頂点のうちの何れか１つに対応する色度（例えば、図１４の点（色度）１５１−Ａ乃至点（色度）１５１−Ｄのうちの所定の１つの色度）で発光するように製作されており、同一の色度で発光するように製作された１以上の前記ランプを集合させた組を単位としてＮ組（例えば、図１２において、ランプ１２−Ａからなる第１の組、ランプ１２−Ｂからなる第２の組、ランプ１２−Ｃからなる第３の組、および、ランプ１２−Ｄからなる第４の組といった４組）に区分されていることが可能である。
【００３６】
この照明装置においては、前記ランプ駆動装置（例えば、図１０のランプ駆動装置）は、複数の前記ランプのそれぞれの電流のレベルの総和をほぼ一定のレベルで安定させる制御をさらに実行しながら、複数の前記ランプのそれぞれの電流を個別に制御する（例えば、図１０において、制御回路８１は、輝度制御信号（ランプ１２−Ａとランプ１２−Ｂとの電流の総和の指令値）と、総和帰還回路８２よりフィードバックされた信号（ランプ１２−Ａとランプ１２−Ｂとの電流の総和の実績値）を用いて、ランプ１２−Ａとランプ１２−Ｂとの電流の総和をフィードバック制御しながら、電流指令部２１から供給された個別輝度制御信号Ａと個別輝度制御信号Ｂとのそれぞれに基づいて、ランプ１２−Ａとランプ１２−Ｂのそれぞれの電流を個別にオープンループ制御を行う）ことができる。
【００３７】
本発明によれば、照明方法が提供される。この照明方法は、予め設定された色度座標のそれぞれに対応する色度で発光するようにそれぞれ製作された複数のランプと、複数の前記ランプのそれぞれからの光を入射し、所定の方向に出射する導光板とを少なくとも備える照明装置（例えば、図１と図２のバックライト装置１、図１０若しくは図１１に示される回路や装置を構成要素に含むバックライト装置、または、図１２と図１３のバックライト装置１０１）の照明方法であって、複数の前記ランプのそれぞれを駆動し、前記導光板から出射される前記光の色度の色度座標の目標値に応じて複数の前記ランプのそれぞれの電流の配分比を設定し、その設定に基づいて複数の前記ランプのそれぞれの電流を個別に制御するランプ駆動ステップ（例えば、図２等のインバータユニット１３、図１０に示されるランプ駆動装置、図１１における、電流指令装置９１、ランプ駆動装置（インバータユニット）９２−Ａ、およびランプ駆動装置（インバータユニット）９２−Ｂからなるシステム、または、図１２と図１３のインバータユニット１１１等）が実行するステップ）を含むことを特徴とする。
【００３８】
本発明によれば、表示装置が提供される。この表示装置（例えば、図１と図２のバックライト装置１、図１０若しくは図１１に示される回路や装置を構成要素に含むバックライト装置、または、図１２と図１３のバックライト装置１０１と、図１等のLCD２とを少なくとも含む液晶表示装置）は、予め設定された色度座標のそれぞれに対応する色度で発光するようにそれぞれ製作された複数のランプ（例えば、図１と図２のランプ１２−Ａとランプ１２−Ｂ、または、図１２と図１３のランプ１２−Ａ乃至ランプ１２−Ｄ）と、複数の前記ランプのそれぞれからの光を入射し、所定の方向に出射する導光板（例えば、図１等の導光板１１）と、前記導光板からの光を入射し、その光を利用して画像を表示する表示パネル（例えば、図１のLCD２）と、複数の前記ランプのそれぞれを駆動し、前記導光板から出射される前記光の色度の色度座標の目標値に応じて複数の前記ランプのそれぞれの電流の配分比を設定し、その設定に基づいて複数の前記ランプのそれぞれの電流を個別に制御するランプ駆動装置（インバータユニット）９２−Ａ、およびランプ駆動装置（インバータユニット）９２−Ｂからなるシステム、または、図１２と図１３のインバータユニット１１１等）とを備えることを特徴とする。
【００３９】
本発明によれば、表示方法が提供される。この表示方法は、予め設定された色度座標のそれぞれに対応する色度で発光するようにそれぞれ製作された複数のランプ（例えば、図１と図２のランプ１２−Ａとランプ１２−Ｂ、または、図１２と図１３のランプ１２−Ａ乃至ランプ１２−Ｄ）と、複数の前記ランプのそれぞれからの光を入射し、所定の方向に出射する導光板（例えば、図１等の導光板１１）と、前記導光板からの光を入射し、その光を利用して画像を表示する表示パネル（例えば、図１のLCD２）とを少なくとも備える表示装置（例えば、図１と図２のバックライト装置１、図１０若しくは図１１に示される回路や装置を構成要素に含むバックライト装置、または、図１２と図１３のバックライト装置１０１と、図１等のLCD２とを少なくとも含む液晶表示装置）の表示方法において、複数の前記ランプのそれぞれを駆動し、前記導光板から出射される前記光の色度の色度座標の目標値に応じて複数の前記ランプのそれぞれの電流の配分比を設定し、その設定に基づいて複数の前記ランプのそれぞれの電流を個別に制御するランプ駆動ステップ（例えば、図２等のインバータユニット１３、図１０に示されるランプ駆動装置、図１１における、電流指令装置９１、ランプ駆動装置（インバータユニット）９２−Ａ、およびランプ駆動装置（インバータユニット）９２−Ｂからなるシステム、または、図１２と図１３のインバータユニット１１１等）が実行するステップ）を含むことを特徴とする。
【００４０】
以下、図面を参照して、本発明の照明装置としての、液晶表示装置用のバックライト装置、および、本発明の表示装置としての液晶表示装置について説明する。
【００４１】
図１は、本実施の形態のバックライト装置、およびそれを搭載した本実施の形態の液晶表示装置の構成例を示す断面図である。
【００４２】
図１に示されるように、本実施の形態の液晶表示装置には、バックライト装置１とLCD(Liquid Crystal Display)２（なお、LCDとは、一般的に液晶表示装置全体等を指すこともあるが、ここでは、特に液晶パネルを指す）が設けられている。
【００４３】
バックライト装置１には、導光板１１、２本のランプ１２−Ａおよびランプ１２−Ｂ、並びに、インバータユニット１３が設けられている。
【００４４】
導光板１１は、LCD２の裏面（LCD２の表示面が表面とされる）側に配置され、２本のランプ１２−Ａおよびランプ１２−Ｂからの光を入射し、LCD２に向けて（所定の方向）出射する。
【００４５】
なお、導光板１１の表面（LCD２の裏面と対向する面）とLCD２の裏面との間には、拡散シートやプリズムシート等が配置されることもある。また、導光板１１の裏面側には、反射シート等が配置されることもある。
【００４６】
２本のランプ１２−Ａおよびランプ１２−Ｂは、例えば、蛍光灯等で構成され、図１の例では、導光板１１の表面と垂直な４つの面のうちの所定の面（図１の例では、図中右側の面１１−１）側に、その面１１−１と略平行に（面１１−１に沿って）配置されている。
【００４７】
インバータユニット１３は２つの出力を有しており、これらの２つの出力のうちの、第１の出力がランプ１２−Ａに接続され、また、第２の出力がランプ１２−Ｂに接続されている。即ち、インバータユニット１３は、ランプ１２−Ａおよびランプ１２−Ｂのそれぞれを個別に駆動することができる。詳細には、インバータユニット１３は、ランプ１２−Ａおよびランプ１２−Ｂのそれぞれに対して高周波の電圧を個別に印加することで、ランプ１２−Ａおよびランプ１２−Ｂのそれぞれを個別に発光させる。
【００４８】
このとき、インバータユニット１３は、ランプ１２−Ａおよびランプ１２−Ｂのそれぞれの電流を個別に制御することができる。この電流の制御方式自体は、特に限定されず、例えば、PWM(Pulse Width Modulation：パルス幅変調)制御方式や、アナログ電流制御方式等を適用することができる。なお、PWM制御方式とは、電流のオン状態とオフ状態とをスイッチングにより切換え、そのオン状態とオフ状態との比率（デューティ）を可変することにより、平均電流を制御する方式をいう。このPWM制御方式は、デューティ制御方式或いはパルス幅制御方式等と称されることもある。一方、アナログ電流制御方式とは、アナログ的に電流値の大小を制御する方式をいう。
【００４９】
ここで注目すべき点は、インバータユニット１３は、複数のランプ（図１の例では、ランプ１２−Ａとランプ１２−Ｂ）のそれぞれの電流を個別に制御するという点である。詳細には、導光板１１から出射される光の輝度をほぼ一定に保つべく、ランプ１２−Ａとランプ１２−Ｂとの電流の総和をほぼ一定に保つ制御を行いながら、導光板１１から出射される光の色度を調整すべく、それぞれの電流の配分比（以下、電流比と称する）を制御するという点である。
【００５０】
このような制御を行うインバータユニット１３には、図２に示されるように、ランプ１２−Ａの電流のレベルを指令する信号Ａ（以下、このような信号を、個別輝度制御信号Ａと称する）をランプ駆動部２２−Ａに入力させるとともに、ランプ１２−Ｂの電流のレベルを指令する信号Ｂ（以下、このような信号を個別輝度制御信号Ｂと称する）をランプ駆動部２２−Ｂに入力させる電流指令部２１が設けられている。
【００５１】
インバータユニット１３にはまた、ランプ１２−Ａを駆動し、電流指令部２１からの個別輝度制御信号Ａに基づいてランプ１２−Ａの電流を制御するランプ駆動部２２−Ａ、および、ランプ１２−Ｂを駆動し、電流指令部２１からの個別輝度制御信号Ｂに基づいてランプ１２−Ｂの電流を制御するランプ駆動部２２−Ｂが設けられている。
【００５２】
換言すると、インバータユニット１３は、ランプ１２−Ａとランプ１２−Ｂとの電流の総和をほぼ一定に保ったまま、その電流比を可変する制御を実行することができる。その結果、次のような効果を奏することが可能になる。正確には、次のような効果を目的として、インバータユニット１３は、ランプ１２−Ａとランプ１２−Ｂとの電流の総和をほぼ一定に保ったまま、その電流比を可変する制御を実行している。
【００５３】
即ち、インバータユニット１３を適用することで奏することが可能な効果とは、例えば、ランプ１２−Ａとランプ１２−Ｂのそれぞれとして、発光する光の色度が相異なるように設定された（そのように製作された）２つのランプを適用した場合、これら２つのランプの電流の総和をほぼ一定に保ったまま、その電流比を変えることで、導光版１１の表面から出射される光、即ち、LCD２の表面から出射される光の輝度をほぼ一定に保ったまま、その色度を可変する（調整する）ことができるという効果である。
【００５４】
ここで、図３を参照して、この効果についてさらに詳細に説明する。
【００５５】
図３は、色度図を示している。即ち、図３の色度図において、曲線３１は、スペクトル色軌跡を示している。即ち、このスペクトル色軌跡３１上に、純粋な色を有するスペクトルの各単色光が配置される。スペクトル色軌跡３１の近傍に示される各数値は、各単色光のそれぞれの波長を示している。また、直線３２は純紫軌跡を示している。即ち、この純紫軌跡３２に、紫と赤の単色光の混合によって得られる、光スペクトルにはない赤紫色の純な光が配置される。従って、全ての色は、このスペクトル色軌跡３１と純紫軌跡３２とで囲まれる範囲内の点、即ち、色度図における座標(x,y)の点として表現することができる。この点が色度と称されており、色度の位置を特定する座標(x,y)が色度座標(x,y)と称されている。
【００５６】
また、曲線３３は、黒体曲線を示している。黒体曲線とは、黒体（全ての波長の光を完全に吸収する理想物体）を燃焼させた場合に黒体から発する光の色度の軌跡を指す。なお、黒体曲線３３の近傍に示される各数値は、その数値が示す色度（点）の光を発している黒体の温度を指している。この温度は色温度と称されており、色温度により黒体曲線３３上の色度（点）が示される。即ち、黒体曲線３３上の色度（点）は色度座標で示すこともできるし、色温度で示すこともできる。
【００５７】
ところで、この色度図において、第１の色度座標の第１の色度（点）の第１の光と、第２の色度座標の第２の色度（点）の第２の光とが空間的に混合された場合、第１の光と第２の光とが混合された第３の光の第３の色度（点）は、第１の色度（点）と第２の色度（点）とで結ばれた直線上に位置することになる。ただし、その直線上の何れの場所に位置するかについては、第１の光の第１の光量（輝度）と、第２の光の第２の光量（輝度）とに依存する。従って、第１の光の第１の光量（輝度）と、第２の光の第２の光量（輝度）との比を変えることで、第３の色度（点）の位置（即ち、色度座標）を可変させる（調整する）ことができる。
【００５８】
即ち、第１の色度で第１の光を発するように製作されたランプ１２−Ａの光量（輝度）と、第２の色度で第２の光を発光するように製作されたランプ１２−Ｂの光量（輝度）の比を変えることで、導光板１１から出射される第３の光（即ち、LCD２から出射される第３の光）の色度の色度座標を可変させる（調整する）ことができる。
【００５９】
また、ランプ１２−Ａの光量（輝度）は、そのランプ１２−Ａの電流を制御する（変化させる）ことにより調整する（変化させる）ことができる。同様に、ランプ１２−Ｂの光量（輝度）は、そのランプ１２−Ｂの電流を制御することにより調整することができる。
【００６０】
さらに、ランプ１２−Ａの光量（輝度）とランプ１２−Ｂの光量（輝度）との総和を変えなければ、導光板１１から出射される光（LCD２から出射される光）の輝度、即ち、最終的な輝度は一定に保たれる。
【００６１】
従って、ランプ１２−Ａの電流とランプ１２−Ｂの電流との総和を一定に保ったまま、その電流比だけを可変することで、輝度を一定に保ったまま、色度を調整することができるという上述した効果を奏することが可能になる。
【００６２】
なお、ランプ１２−Ａの設定色度（設定された色度座標）と、ランプ１２−Ｂの設定色度（設定された色度座標）のそれぞれは、特に限定されないが、図３に示されるように、所定の範囲３４内における、黒体曲線３３上の色度３５と色度３６のそれぞれに設定されると好適である。即ち、上述したように、液晶表示装置の目標とされる色度は色温度（即ち、黒体曲線３３上の色度）で設定されることが多い。このため、導光版１１の表面から出射される光、即ち、LCD２の表面から出射される光の色度を色温度で調整する場合、色温度３５（黒体曲線３３上の色度３５）と、色温度３６（黒体曲線３３上の色度３６）とを用いる方が効率的だからである。
【００６３】
さらに、色温度３５と色温度３６が属する範囲３４は、±0.015［UV］以内で設定されるとよい。即ち、この場合、色温度３５と色温度３６とを結ぶ直線は、ほぼ黒体線３３と一致するからである。
【００６４】
また、ランプ１２−Ａとランプ１２−Ｂのそれぞれとして、同一の色度座標の色度で発光するように製作された２つのランプを適用したとしても、経年劣化等により、実際に発する光の色度の色度座標が出荷当時のそれと比べて変化してしまう場合がある。即ち、２つのランプ１２−Ａとランプ１２−Ｂのそれぞれが実際に発する光の色度の色度座標がばらついてしまう場合がある。或いは、出荷当時においても、製作過程の差異等により、２つのランプ１２−Ａとランプ１２−Ｂのそれぞれが実際に発する光の色度の色度座標がばらついてしまう場合がある。このような場合であっても、２つのランプ１２−Ａとランプ１２−Ｂの電流の総和をほぼ一定に保ったまま、その電流比を適切に調整することで、導光版１１の表面から出射される光、即ち、LCD２の表面から出射される光の輝度を出荷当時のレベルに保ったまま、その色度の色度座標を目的の値（例えば、設計値）とすることが容易に可能となる。
【００６５】
さらに、ランプ１２−Ａとランプ１２−Ｂのそれぞれの設置条件が異なるため、それぞれの温度上昇も異なることになる。その結果、ランプ１２−Ａとランプ１２−Ｂのそれぞれは、発光条件も異なることになり、効率、輝度、および寿命等も異なることになる。そこで、この温度上昇の差異も考慮して、２つのランプの電流比を適切に調整することで、ランプ１２−Ａとランプ１２−Ｂとの設置条件を同じにしたこととほぼ等価にすることができ、効率、輝度、および寿命等の差異を小さくすることもできる。
【００６６】
このような効果を奏することが可能なインバータユニット１３の詳細な構成例が図４に示されている。そこで、以下、図４を参照して、インバータユニット１３の詳細について説明する。
【００６７】
図４のインバータユニット１３において、ランプ駆動部２２−Ａには、制御回路４１−Ａ、トランス４２−Ａ、検出抵抗４３−Ａ、および、帰還回路４４−Ａが設けられている。
【００６８】
制御回路４１−Ａは、入力電源４５から印加された直流電圧を、高周波の交流電圧に変換してトランス４２−Ａの図示せぬ１次側に印加する。このとき、電流指令部２１からは上述した個別輝度制御信号Ａが入力されるとともに、帰還回路４４−Ａからはランプ１２−Ａの実電流に対応する信号が入力されるので、制御回路４１−Ａは、個別輝度制御信号Ａ（ランプ１２−Ａの電流の指令値に相当）と、帰還回路４４−Ａから入力された信号（ランプ１２−Ａの電流の実績値に相当）との差分（誤差）に基づいて、個別輝度制御信号Ａに対応するレベルの電流がランプ１２−Ａにほぼ安定して流れるように、トランス４２−Ａに供給する高周波の交流電圧のレベルを制御する。即ち、制御回路４１−Ａは、フィードバック制御を利用して、ランプ１２−Ａの電流を制御する。
【００６９】
トランス４２−Ａは、制御回路４１−Ａよりその１次側に印加された高周波の交流電圧を昇圧し、図示せぬその２次側よりランプ１２−Ａに印加する。
【００７０】
帰還回路４４−Ａは、ランプ１２−Ａの実電流を、検出抵抗４３−Ａの両端間の電圧として検出し、必要に応じてさらにそのレベルを変換して、制御回路４１−Ａに供給する。
【００７１】
ランプ駆動部２２−Ｂにも、ランプ駆動部２２−Ａにおける制御回路４１−Ａ乃至帰還回路４４−Ａのそれぞれと全く同様の機能と構成を有する、制御回路４１−Ｂ乃至帰還回路４４−Ｂのそれぞれが設けられている。なお、制御回路４１−Ｂ乃至帰還回路４４−Ｂのそれぞれの説明は、制御回路４１−Ａ乃至帰還回路４４−Ａのそれぞれの説明と重複することになるので、ここでは省略する。
【００７２】
以上、図４を参照して、インバータユニット１３のうちの、ランプ駆動部２２−Ａとランプ駆動部２２−Ｂの詳細な構成について説明した。
【００７３】
次に、図５乃至図７のそれぞれを参照して、インバータユニット１３のうちの、残りの電流指令部２１の詳細な構成について説明する。
【００７４】
即ち、図５乃至図７のそれぞれは、電流指令部２１の３つの異なる実施の形態を示すブロック図である。
【００７５】
ところで、従来のインバータユニットにおいても、導光板１１からの光の輝度を調整する目的（各ランプ毎の個別の輝度調整の目的ではない）で２つのランプの電流制御が行われていた。ただし、従来においては、輝度制御信号と称される電圧信号、例えば、０［V］（最小輝度のレベル）乃至３［V］（最大輝度のレベル）の範囲で可変する輝度制御信号（必要に応じてレベルが調整されることもある）が、２つのランプのランプ駆動部のそれぞれに電流指令として分配されていた。即ち、２つのランプに対する電流指令（個別輝度制御信号Ａと個別輝度制御信号Ｂとに対応する）はいつでも同一の指令とされており、２つのランプの電流は常にほぼ同レベルであった。
【００７６】
このため、従来の電流指令部は、例えば、この輝度制御信号を入力する入力端子（以下、輝度制御信号入力端子と称する）と、２つの同一の指令（同一レベルの２つの電圧信号であって、ここでいう個別輝度制御信号Ａと個別輝度制御信号Ｂとに対応する信号）を生成する生成部と、生成部により生成された２つの指令を出力する出力端子（以下、輝度制御信号出力端子と称する）で構成されていた。
【００７７】
本実施の形態の電流指令部２１においても、導光板１１からの光の輝度をほぼ一定に保つ目的があるため、従来の輝度制御信号（０［V］乃至３［V］の範囲で可変される電圧信号）が図示せぬ外部の制御部より入力されるとする。従って、本実施の形態の電流指令部２１においても（図５乃至図７のいずれの実施の形態においても）、従来の電流指令部と同様に、輝度制御信号入力端子５１、並びに、輝度制御信号出力端子５４、および、輝度制御信号出力端子５５が設けられているとする。
【００７８】
ただし、本実施の形態においては、上述したように、電流指令部２１より出力される２つの個別輝度制御信号Ａと個別輝度制御信号Ｂのそれぞれのレベルは同一ではなく、ランプ１２−Ａとランプ１２−Ｂとの電流比に応じて可変される（ただし、電流比があえて１：１に設定された場合等において、同一レベルとなることもある）。そこで、本実施の形態の電流指令部２１には、ランプ１２−Ａとランプ１２−Ｂとの電流比を設定し、入力された輝度制御信号から、その電流比に応じた個別輝度制御信号Ａと個別輝度制御信号Ｂとを生成する生成部が必要となる。この生成部は、このような機能を有すればその形態は特に限定されず、様々な形態を取ることができる。即ち、このような生成部の様々な形態のうちの３つの形態のそれぞれが、本実施の形態の電流指令部２１の生成部として、図５乃至図７に示されている。
【００７９】
具体的には、例えば、図５の電流指令部２１においては、このような生成部（輝度制御信号入力端子５１、輝度制御信号出力端子５４、および、輝度制御信号出力端子５５を除く部分）として、バランス制御信号入力端子５２と電流バランス回路５３とが設けられている。
【００８０】
即ち、図５の電流指令部２１には、０[V]乃至３［V］の範囲の輝度制御信号とともに、ランプ１２−Ａとランプ１２−Ｂとの電流比を設定するために必要な信号（以下、電流バランス信号と称する）が図示せぬ外部の制御部から入力される。バランス制御信号入力端子５２は、入力されたバランス制御信号を電流バランス回路５３に供給する。電流バランス回路５３は、供給された電流バランス信号に基づいて、ランプ１２−Ａとランプ１２−Ｂとの電流比を設定し、その電流比と、輝度制御信号入力端子５１より供給された輝度制御信号とに基づいて、個別輝度制御信号Ａと個別輝度制御信号Ｂとを生成する。
【００８１】
詳細には、バランス制御信号も０[V]乃至３［V］の範囲の電圧信号とされ、その範囲の中心（即ち、１．５[V]）の電圧信号が、ランプ１２−Ａとランプランプ１２−Ｂの電流をほぼ等しくする指令（電流比をほぼ１：１とする指令）を示している。また、１．５［V］未満乃至０［V］の範囲の電圧信号は、ランプ１２−Ａに大きな電流（高レベルの電流）を流し、ランプ１２−Ｂに小さい電流（低レベルの電流）を流す指令を示している。一方、１．５［V］乃至３［V］の範囲（１．５［V］除く）の電圧信号は、ランプ１２−Ａに小さな電流（低レベルの電流）を流し、ランプ１２−Ｂに大きな電流（高レベルの電流）を流す指令を示している。
【００８２】
即ち、例えば、いま、輝度制御信号入力端子５１を介して３［V］の輝度制御信号が電流バランス回路５３に入力されたとする。この場合、例えば、バランス制御信号入力端子５２を介して１．５[V]のバランス制御信号が入力されると、電流バランス回路５３は、個別輝度制御信号Ａと個別輝度制御信号Ｂのそれぞれとして、略１．５×Ｇ（Ｇは、所定のゲイン係数を示す）[V]の電圧信号を生成する。また、例えば、バランス制御信号入力端子５２を介して０[V]のバランス制御信号が入力されると、電流バランス回路５３は、個別輝度制御信号Ａとして略３×Ｇ[V]の電圧信号を、個別輝度制御信号Ｂとして略０×Ｇ[V]の電圧信号を、それぞれ生成する。一方、例えば、バランス制御信号入力端子５２を介して３[V]のバランス制御信号が入力されると、電流バランス回路５３は、個別輝度制御信号Ａとして略０×Ｇ[V]の電圧信号を、個別輝度制御信号Ｂとして略３×Ｇ[V]の電圧信号を、それぞれ生成する。
【００８３】
このようにして電流バランス回路５３により生成された個別輝度制御信号Ａと個別輝度制御信号Ｂのそれぞれは、輝度制御信号出力端子５４または輝度制御信号出力端子５５を介して電流指令部２１の外部に出力される。即ち、上述したように、個別輝度制御信号Ａが、ランプ駆動部２２−Ａの制御回路４１−Ａ（図４）に入力されるとともに、個別輝度制御信号Ｂが、ランプ駆動部２２−Ｂの制御回路４１−Ｂ（図４）に入力される。
【００８４】
このような図５の電流指令部２１に対して、図６の電流指令部２１においては、生成部（輝度制御信号入力端子５１、輝度制御信号出力端子５４、および、輝度制御信号出力端子５５を除く部分）として、例えば、抵抗６１、抵抗６２、可変抵抗６３、および、この可変抵抗６３の抵抗値を制御するバランス制御ボリューム６４が設けられている。このバランス制御ボリューム６４は、一端が接地され、他端が可変抵抗６３に可変接続される抵抗６５により構成される。
【００８５】
即ち、例えば、いま、抵抗６１と抵抗６２の抵抗値がいずれもRaであり、可変抵抗６３の上側の部分（バランス制御ボリューム６４の抵抗６５との接続点よりも図中上側の部分）とバランス制御ボリューム６４の抵抗６５との合成抵抗値がRbであり、かつ、可変抵抗６３の下側の部分（バランス制御ボリューム６４の抵抗６５との接続点よりも図中下側の部分）とバランス制御ボリューム６４の抵抗６５との合成抵抗値がRcであるとする。
【００８６】
この場合、合成抵抗値Rbと合成抵抗値Rcのそれぞれは、バランス制御ボリューム６４内の抵抗６５と、可変抵抗６３との接続点の位置に応じて可変するので、それに応じて、個別輝度制御信号Ａの電圧レベル（抵抗６１と可変抵抗６３との接続点における電圧レベル）と、個別輝度制御信号Ｂの電圧レベル（抵抗６２と可変抵抗６３との接続点における電圧レベル）とのそれぞれも可変する。従って、バランス制御ボリューム６４のボリュームを適切に調整することにより（バランス制御ボリューム６４内の抵抗６５と、可変抵抗６３との接続点の位置を適切に可変することにより）、ランプ１２−Ａとランプ１２−Ｂとの電流比を適切に設定し、その電流比に応じた個別輝度制御信号Ａと個別輝度制御信号Ｂのそれぞれを生成することができる。
【００８７】
このようにして輝度制御出力端子５４から出力された個別輝度制御信号Ａは、上述したように、ランプ駆動部２２−Ａの制御回路４１−Ａ（図４）に入力される。一方、このようにして輝度制御出力端子５５から出力された個別輝度制御信号Ｂは、ランプ駆動部２２−Ｂの制御回路４１−Ｂ（図４）に入力される。
【００８８】
このような図５や図６の電流指令部２１に対して、図７の電流指令部２１においては、生成部（輝度制御信号入力端子５１、輝度制御信号出力端子５４、および、輝度制御信号出力端子５５を除く部分）として、例えば、マイクロコンピュータ７１が設けられている。
【００８９】
マイクロコンピュータ７１には、輝度制御信号入力端子５１から入力される輝度制御信号の他、上述したバランス制御信号またはそれに対応する信号（バランス指令と称する）が入力される。マイクロコンピュータ７１は、このバランス指令に基づいてランプ１２−Ａとランプ１２−Ｂとの電流比を適切に設定し、その電流比に応じた個別輝度制御信号Ａと個別輝度制御信号Ｂのそれぞれを生成し、輝度制御信号出力端子５４または輝度制御出力端子５５を介して電流指令部２１の外部に出力する。
【００９０】
具体的には、例えば、バランス指令が、バランス制御信号等の電圧信号である場合、マイクロコンピュータ７１は、バランス指令の電圧レベルと、ランプ１２−Ａとランプ１２−Ｂとの電流比との関係表（テーブル）を有していれば、バランス指令から、個別輝度制御信号Ａと個別輝度制御信号Ｂのそれぞれを直接生成することができる。
【００９１】
このようにしてマイクロコンピュータ７１により生成された個別輝度制御信号Ａと個別輝度制御信号Ｂのそれぞれは、輝度制御信号出力端子５４または輝度制御信号出力端子５５を介して電流指令部２１の外部に出力される。即ち、上述したように、個別輝度制御信号Ａが、ランプ駆動部２２−Ａの制御回路４１−Ａ（図４）に入力されるとともに、個別輝度制御信号Ｂが、ランプ駆動部２２−Ｂの制御回路４１−Ｂ（図４）に入力される。
【００９２】
以上、図１と図２に示されるバックライト装置１の構成について説明した。そこで、次に、図１と図２に示されるバックライト装置１の動作について説明する
【００９３】
はじめに、図示せぬ制御部等は、ランプ１２−１とランプ１２−２との電流比を設定するために必要な情報を生成し、その情報をインバータユニット１３の電流指令部２１に供給する。なお、この情報の供給形態については、特に限定されず、例えば、上述した様々な形態を取ることが可能である。即ち、例えば、電流指令部２１が上述した図５のように構成される場合、この情報は、バランス制御信号という形態で電流指令部２１に入力される。また、例えば、電流指令部２１が上述した図６のように構成される場合、この情報は、バランス制御ボリューム６４のボリューム調整という形態で電流指令部２１に入力される。或いは、例えば、電流指令部２１が上述した図７のように構成される場合、この情報は、バランス指令（バランス制御信号のときもある）という形態で電流指令部２１に入力される。
【００９４】
すると、電流指令部２１は、図示せぬ制御部等より入力された情報に基づいて、ランプ１２−１とランプ１２−２との電流比を設定し、その電流比と図示せぬ制御部等より入力された輝度制御信号とに基づいて、個別輝度制御信号Ａと個別輝度制御信号Ｂとを生成する。例えば、電流指令部２１は、ランプ１２−１とランプ１２−２との電流比をＮ：Ｍ（ＮとＭは任意の整数値）に設定した場合、電圧レベルの比もほぼＮ：Ｍとなる、個別輝度制御信号Ａと個別輝度制御信号Ｂのそれぞれを生成する。
【００９５】
このようにして生成された個別輝度制御信号Ａはランプ駆動部２２−Ａに供給される。一方、このようにして生成された個別輝度制御信号Ｂはランプ駆動部２２−Ｂに供給される。
【００９６】
すると、ランプ駆動部２２−Ａは、ランプ１２−Ａを駆動し、供給された個別輝度制御信号Ａに基づいてランプ１２−Ａの電流(レベル)を制御する。同様に、ランプ駆動部２２−Ｂは、ランプ１２−Ｂを駆動し、供給された個別輝度制御信号Ｂに基づいてランプ１２−Ｂの電流(レベル)を制御する。
【００９７】
このようなランプ駆動部２２−Ａとランプ駆動部２２−Ｂとの相互に独立した電流制御の結果、ランプ１２−Ａとランプ１２−Ｂとの電流の総和がほぼ一定に保たれたまま、ランプ１２−Ａとランプ１２−Ｂとの実際の電流比が、電流指令部２１により設定された電流比（設定値）とほぼ一致するようになる。即ち、ランプ１２−Ａとランプ１２−Ｂのそれぞれは、予め設定された色度座標の色度の光を、各々制御された電流に対応する輝度（光量）で出射する。
【００９８】
すると、導光板１１の表面（即ち、LCD２の表面）からは、ランプ１２−Ａの光（第１の色度の第１の輝度の光）と、ランプ１２−Ｂの光（第２の色度の第２の輝度の光）とが空間的に混合された光が出射される。このとき、導光板１１の表面から出射される光の色度は、ランプ１２−Ａとランプ１２−Ｂとの実際の電流比に応じた色度となっている。また、ランプ１２−Ａとランプ１２−Ｂとの電流の総和がほぼ一定に保たれているので、導光板１１の表面から出射される光の輝度は一定に保たれる。
【００９９】
従って、ユーザ等は、導光板１１の表面（即ち、LCD２の表面）から出射される光の輝度をほぼ一定にしたまま、その色度を調整したい場合、図示せぬ制御部から電流指令部２１に入力される、ランプ１２−Ａとランプ１２−Ｂとの電流比を設定するために必要な情報を可変させればよい。これにより、ランプ１２−Ａとランプ１２−Ｂとの電流の総和が一定に保たれたまま、ランプ１２−Ａとランプ１２−Ｂとの実際の電流比が変化し、その結果、輝度はほぼ一定であるが、色度が電流比の変化に応じて変化した光が、導光板１１の表面から出射されることになる。
【０１００】
ところで、バックライト装置１のランプ１２−Ａとランプ１２−Ｂとのそれぞれの配置位置は、図１と図２の場所に限定されず、ランプ１２−Ａからの光とランプ１２−Ｂからの光とが空間的に混合された光が、導光板１１からLCD２の所定の方向に出射可能な場所であれば何れの場所でもよい。例えば、図８（断面図）や図９（LCD２の上面図）に示されるように、導光板１１の表面と垂直な４つ面のうちの面１１−２側に、その面１１−２と略平行に（面１１−２に沿って）ランプ１２−Ａを配置させ、その面１１−２と対向する面１１−１側に、その面１１−１と略平行に（面１１−１に沿って）ランプ１２−Ｂを配置させてもよい。
【０１０１】
また、バックライト装置１のランプ駆動装置として、上述した例では、２出力のインバータユニット１３（図４）が適用されたが、このインバータユニット１３と同様の機能を有する装置であれば、その構成は特に限定されない。即ち、バックライト装置１のランプ駆動装置として、インバータユニット以外の駆動装置を適用してもよい。
【０１０２】
或いは、例えば、バックライト装置１のランプ駆動装置として、図１０に示されるようなインバータユニットを適用してもよい。
【０１０３】
図１０のインバータユニットにおいて、電流指令部２１、トランス４２−Ａ、検出抵抗４３−Ａ、トランス４２−Ｂ、検出抵抗４３−Ｂ、および、入力電源４５のそれぞれは、図４の対応する回路等と基本的に同様の機能と構成を有している。
【０１０４】
ただし、図４のインバータユニット１３においては、２つの制御回路４１−Ａと制御回路４１−Ｂが設けられていたが、図１０のインバータユニットにおいては、１つの制御回路８１が設けられている。また、図４のインバータユニット１３においては、ランプ１２−Ａの実電流（それに対応する電圧信号）を制御回路４１−Ａにフィードバックする帰還回路４４−Ａと、ランプ１２−Ｂの実電流（それに対応する電圧信号）を制御回路４１−Ｂにフィードバックする帰還回路４４−Ｂとが設けられていたが、図１０のインバータユニットにおいては、ランプ１２−Ａの実電流とランプ１２−Ｂの実電流の総和（それに対応する電圧信号）を制御回路８１にフィードバックする総和帰還回路８２が設けられている。
【０１０５】
即ち、制御回路８１は、図示せぬ制御部等より供給される輝度制御信号（ランプ１２−Ａの電流とランプ１２−Ｂの電流の総和の指令値）と、総和帰還回路８２よりフィードバックされた信号（ランプ１２−Ａの電流とランプ１２−Ｂの電流の総和の実績値）を用いて、ランプ１２−Ａの電流とランプ１２−Ｂの電流の総和をフィードバック制御しながら、電流指令部２１から供給された個別輝度制御信号Ａと個別輝度制御信号Ｂとのそれぞれに基づいて、ランプ１２−Ａの電流とランプ１２−Ｂの電流のそれぞれを個別にオープンループ制御を行う。
【０１０６】
これにより、ランプ１２−Ａの電流とランプ１２−Ｂの電流の総和の制御により、導光板１１から出射される光（LCD２から出射される光）の輝度が制御されるとともに、ランプ１２−Ａの電流とランプ１２−Ｂの電流比の制御により、導光板１１から出射される光（LCD２から出射される光）の色度が制御される。即ち、図１０のインバータユニットは、導光板１１から出射される光（LCD２から出射される光）の輝度と色度のそれぞれを同時に制御することが可能になる。
【０１０７】
或いは、例えば、図１１に示されるように、バックライト装置１のランプ駆動装置として、電流指令装置９１、１出力のランプ駆動装置（インバータユニット）９２−Ａ、および、１出力のランプ駆動装置（インバータユニット）９２−Ｂからなるシステムを適用してもよい。
【０１０８】
なお、図１１の電流指令装置９１は、図４の電流指令部２１と基本的に同様な機能と構成を有しているとする。即ち、図１１の電流指令装置９１は、上述した図５乃至図７のそれぞれに示されるように構成することができる。従って、ここでは、図１１の電流指令装置９１の詳細な説明については省略する。
【０１０９】
また、図１１のランプ駆動装置（インバータユニット）９２−Ａとランプ駆動装置（インバータユニット）９２−Ｂのそれぞれは、図４のランプ駆動部２２−Ａとランプ駆動部２２−Ｂのそれぞれと基本的に同様な機能と構成を有しているとする。従って、ここでは、図１１のランプ駆動装置（インバータユニット）９２−Ａとランプ駆動装置（インバータユニット）９２−Ｂのそれぞれの詳細な説明については省略する。
【０１１０】
また、ランプ１２−Ａの配置位置は、当然ながら図１１の例に限定されず、図１と図２に示されるように、ランプ１２−Ｂと同一側に配置させてもよい。
【０１１１】
ところで、上述したバックライト装置１においては、２本のランプ１２−Ａとランプ１２−Ｂが搭載されていたが、ランプの本数は２本以上であれば特に限定されない。
【０１１２】
例えば、図１２の断面図に示されるバックライト装置１０１のように、４本のランプ１２−Ａ乃至ランプ１２−Ｄのそれぞれを搭載することも可能である。
【０１１３】
この場合、４本のランプ１２−Ａ乃至ランプ１２−Ｄの配置位置は特に限定されず、例えば、図示はしないが、図１に対応する配置位置でもよい。即ち、４本のランプ１２−Ａ乃至ランプ１２−Ｄの全てを、導光板１１の面１１−１側に、その面１１−１と略平行に（面１１−１に沿って）配置させてもよい。或いは、図１２に示されるように、４本のランプ１２−Ａ乃至ランプ１２−Ｄを、２本のランプ１２−Ａとランプ１２−Ｂとからなる第１の組と、２本のランプ１２−Ｃとランプ１２−Ｄとからなる第２の組に分割し、第１の組に属するランプの全てを、導光板１１の面１１−２側に、その面１１−２と略平行に（面１１−２に沿って）配置させるとともに、第２の組に属するランプの全てを、面１１−２と対向する面１１−１側に、その面１１−１と略平行に（面１１−１に沿って）配置させてもよい。或いは、図１２において、ランプ１２−Ａとランプ１２−Ｃとを第１の組と捉え、ランプ１２−Ｂとランプ１２−Ｄを第２の組と捉えてもよい。
【０１１４】
ただし、このように、４本のランプ１２−Ａ乃至ランプ１２−Ｄが使用される場合、図１３に示されるように、４出力のインバータユニット１１１（或いは、図示はしないが、図１１に対応する形態、即ち、４つのランプ駆動装置と指令装置とからなるシステム）が必要とされる。
【０１１５】
このインバータユニット１１１には、電流指令部１２１と、４つのランプ駆動部１２２−Ａ乃至ランプ駆動部１２２−Ｄが設けられている。
【０１１６】
電流指令部１２１は、導光板１１（図１２）から出射される光の色度の色度座標の目標値等に応じて、４つのランプ駆動部１２２−Ａ乃至ランプ駆動部１２２−Ｄのそれぞれの電流比を設定し、その電流比に基づいて４つの個別輝度制御信号Ａ乃至個別輝度制御信号Ｄを生成する。そして、電流指令部１２１は、個別輝度制御信号Ａ乃至個別輝度制御信号Ｄのそれぞれを、ランプ駆動部１２２−Ａ乃至ランプ駆動部１２２−Ｄのそれぞれに供給する。
【０１１７】
なお、ランプ駆動部１２２−Ａ乃至ランプ駆動部１２２−Ｄのそれぞれの電流比の設定方法は特に限定されない。例えば、先に、第１の組内のランプ１２−Ａとランプ１２−Ｂとの電流比と、第２の組内のランプ１２−Ｃとランプ１２−Ｄとの電流比を調整した後、第１の組と第２の組との電流比を調整することもできる。或いは、上述したように、組の考え方を変えることもできるので、即ち、図１２において、ランプ１２−Ａとランプ１２−Ｃとを第１の組と捉え、ランプ１２−Ｂとランプ１２−Ｄを第２の組と捉えることもできるので、先に、第１の組内のランプ１２−Ａとランプ１２−Ｃとの電流比と、第２の組内のランプ１２−Ｂとランプ１２−Ｄとの電流比を調整した後、第１の組と第２の組との電流比を調整することもできる。
【０１１８】
なお、これらの場合において、先に調整される各組の内部の電流比を１：１に設定すれば、即ち、第１の組内のランプ１２−Ａとランプ１２−Ｂとの電流を同一のレベルとなるように設定し、かつ、第２の組内のランプ１２−Ｃとランプ１２−Ｄとの電流を同一のレベルとなるように設定すれば、電流指令部１２１は、その後の組同士の電流比の設定を容易に行うことが可能となる。その結果、電流指令部１２１を簡素な構成で実現することも可能になる。
【０１１９】
この場合、ランプ駆動部１２２−Ａ乃至ランプ駆動部１２２−Ｄのそれぞれは、第１の組と第２の組毎に、同一の組に属するランプの全ての電流をほぼ同一のレベルで安定させる制御を実行することになる。
【０１２０】
ところで、４本のランプ１２−Ａ乃至ランプ１２−Ｄが発する光の色度は特に限定されない。
【０１２１】
即ち、第１の組に属するランプとして、第１の色度座標のランプを適用し、第２の組に属するランプとして、第２の色度座標のランプを適用してもよい。この場合、上述した図３の色度図に示されるように、第１の組に属するランプとして、黒体曲線３３上の第１の色度（図３の例では、色度（色温度）３５または色度（色温度）３６）で発光するように製作されたランプを適用し、第２の組に属するランプとして、黒体曲線３３上の第１の色度とは異なる第２の色度（図３の例では、色度（色温度）３６または色度（色温度）３５）で発光するように製作されたランプを適用することができる。
【０１２２】
或いは、４本のランプ１２−Ａ乃至ランプ１２−Ｄとして、色度座標が全て異なるランプを適用してもよい。この場合、図１４の色度図（図３と同様の色度図）に示されるように、４本のランプ１２−Ａ乃至ランプ１２−Ｄのそれぞれとして、黒体曲線３３を包含する所定の四角形状の領域１６１の頂点に対応する４つの色度（即ち、色度（点）１５１−Ａ乃至色度（点）１５１−Ｄ）のうちのいずれかで発光するようにそれぞれ製作されている、４本のランプのそれぞれを適用することできる。
【０１２３】
なお、図示はしないが、色度１５１−Ａで発光するように製作されたＫ（Ｋは任意の整数値）本のランプが第１の組とされ、色度１５１−Ｂで発光するように製作されたＫ本のランプが第２の組とされ、色度１５１−Ｃで発光するように製作されたＫ本のランプが第３の組とされ、かつ、色度１５１−Ｄで発光するように製作されたＫ本のランプが第４の組とされた、４×Ｋ本のランプがバックライト装置に搭載されてもよい。
【０１２４】
さらに、図示はしないが、黒体曲線３３を包含する所定のＮ（Ｎは、３以上の任意の整数値）角形状の領域のＮ個の頂点に対応するＮ個の色度のうちのいずれかで発光するようにそれぞれ製作されている、Ｎ本のランプ（或いは、Ｎ組のランプ群）のそれぞれを適用することもできる。
【０１２５】
このように、Ｎ個の色度のそれぞれが設定されたＮ本のランプ（或いは、Ｎ組のランプ群）を適用することで（上述した例では、４個の色度のそれぞれが設定された４本のランプ１２−Ａ乃至ランプ１２−Ｄ（或いは、４組のランプ群）を適用することで）、導光板１１から出射される光（LCD２から出射される光）の色度の調整の自由度を、２つの色度のそれぞれが設定された２本のランプ（或いは２組のランプ群）を適用した場合のそれと比べて格段に増加させることが可能になる。即ち、２本のランプ（或いは２組のランプ群）を適用した場合には、それらのランプに設定された２つの色度で結ばれる直線上でのみしか、導光板１１から出射される光（LCD２から出射される光）の色度の調整を行えなかった。これに対して、Ｎ本のランプ（或いはＮ組のランプ群）を適用した場合には、それらのランプに設定されたＮ個の色度を頂点とするＮ角形状の領域内で、導光板１１から出射される光（LCD２から出射される光）の色度を調整することが可能となる。
【０１２６】
以上のように、本発明の照明装置や表示装置は、予め設定された色度座標のそれぞれに対応する色度で発光するようにそれぞれ製作された複数のランプと、複数のランプのそれぞれからの光を入射し、所定の方向に出射する導光板と、複数のランプのそれぞれを駆動し、導光板から出射される光の色度の色度座標の目標値に応じて複数のランプのそれぞれの電流の配分比を設定し、その設定に基づいて複数のランプのそれぞれの電流を個別に制御するランプ駆動装置といった特徴的構成を有している。
【０１２７】
かかる特徴的構成を有する照明装置や表示装置は、次の第１乃至第５の効果を奏することが可能となる。
【０１２８】
即ち、第１の効果とは、複数のランプを用いた液晶表示装置において、ランプの色度（色）のバラツキで液晶装置の色あいが変わってしまう課題があったが、複数のランプのそれぞれの電流比を可変させる（調整）ことで、この課題を解決する（液晶装置から発する色度（色）のバラツキを抑制する）ことができるという効果である。
【０１２９】
第２の効果とは、従来の液晶表示装置の多くにおいては、それに搭載される複数のランプの色度は、使われる部品や材料で決まってしまい（即ち、バラツキが発生する原因ともなり）、液晶表示装置として色度を調整することができなかったのに対して、本発明の照明装置をバックライト装置として適用した液晶表示装置においては、液晶表示装置ができあがった後でも色度をある範囲で調整することができるので、液晶表示装置の色度のバラツキを従来の製品よりも抑制した状態で、その液晶表示装置を出荷等することができるという効果である。
【０１３０】
第３の効果とは、第２の効果と同様の理由により、出荷後も、液晶表示装置のユーザは、自分自身の好みに応じて、液晶表示装置の色度を調整できるようになったという効果である。例えば、ユーザは、パーソナルコンピュータに搭載された液晶表示装置の色度を調整する場合、色度（色温度）を６５００度に合わせ、一方、テレビジョン受像機の画面として搭載された液晶表示装置等の色度を調整する場合、９３００度に合わせる、といった操作を容易に行うことができるという効果である。
【０１３１】
第４の効果とは、次のような効果である。即ち、液晶表示装置のバックライト装置に登載される蛍光ランプは、上述したように、色度の経時変化を有している。即ち、上述したように、このようなランプをバックライトとして用いた液晶表示装置では、使用時間が経過していくと、当初設定してあった色度からずれてしまう（一般的に、経時変化で黄色方向にずれてしまう）という課題があったが、この課題を解決することができるという効果である。即ち、本発明の照明装置がバックライト装置として搭載された液晶表示装置は、経時変化で色度が変化してしまった場合でも、色度を再調整することで、目的の色度に戻すことができるという効果である。
【０１３２】
第５の効果とは、液晶表示装置のバックライト装置に複数のランプが搭載される場合、各ランプのそれぞれの設置条件が異なるため、それぞれのランプの温度上昇は違ってしまい、その結果、ランプの発光条件が異なり、ランプの効率や輝度や寿命などが違ってきてしまうという課題があったが、この課題を解決することができるという効果である。即ち、本発明の照明装置がバックライト装置として搭載された液晶表示装置は、複数のランプのそれぞれの電流比を替えることで、ランプの設置条件をほぼ同じにしたことと等価にすることができるので、効率や輝度や寿命の差を小さくすることができるという効果である。
【０１３３】
以上、５つの効果について説明したが、これらの５つ効果の注目すべき点は、いずれの効果においても、単に色度のバラツキを調整するのではなく、輝度をほぼ一定に保ったまま、色度のバラツキを調整できる点である。
【０１３４】
なお、本明細書において、システムとは、複数の装置や処理部により構成される装置全体を表すものである。
【図面の簡単な説明】
【０１３５】
【図１】本実施の形態の照明装置（バックライト装置）であって、２本のランプが搭載されたバックライト装置と、それを適用した本実施の形態の表示装置（液晶表示装置）との構成例を示す断面図である。
【図２】図１のバックライト装置とそれを適用した液晶表示装置の構成例を示すブロック図である。
【図３】図１のバックライト装置の２本のランプに設定された色度の例を説明する色度図である。
【図４】図１のバックライト装置のうちのインバータユニットの詳細な構成例を示すブロック図である。
【図５】図４のインバータユニットのうちの電流指令部の構成例を示すブロック図である。
【図６】図４のインバータユニットのうちの電流指令部の他の構成例を示すブロック図である。
【図７】図４のインバータユニットのうちの電流指令部のさらに他の構成例を示すブロック図である。
【図８】図１のバックライト装置であって、ランプの配置位置を図１の状態と異ならせた場合のバックライト装置の断面図である。
【図９】図１のバックライト装置であって、ランプの配置位置が図８に示される状態の場合のバックライト装置の構成例を示すブロック図である。
【図１０】図１のバックライト装置のうちのインバータユニットの他の構成例（図４とは異なる構成例）を示すブロック図である。
【図１１】図１のバックライト装置のうちのインバータユニットの代わりに設けられるランプ駆動システムを示すブロック図である。
【図１２】本実施の形態の照明装置（バックライト装置）であって、４本のランプが搭載されたバックライト装置の構成例を示す断面図である。
【図１３】図１２のバックライト装置の構成例を示すブロック図である。
【図１４】図１２のバックライト装置の４本のランプに設定された色度の例を説明する色度図である。
【符号の説明】
【０１３６】
１  バックライト装置，  ２  ＬＣＤ，  １１  導光板，  １１−１，１１−２  導光板の面，  １２−Ａ乃至１２−Ｄ  ランプ，  １３  インバータユニット，  ２１  電流指令部，  ２２−Ａ，２２−Ｂ  ランプ駆動部，  ３３  黒体曲線，  ３４，３５  色度，  ９１  電流指令装置，  ９２−Ａ，９２−Ｂ  ランプ駆動装置（インバータユニット），  １１１  インバータユニット，  １２１  電流指令部，  １２２−Ａ乃至１２２−Ｄ  ランプ駆動部，  １５１−Ａ乃至１５１−Ｄ  色度，  Ａ，Ｂ  個別輝度制御信号
【図１】
2005116297.tif 000003
【図２】
2005116297.tif 000004
【図３】
2005116297.tif 000005
【図４】
2005116297.tif 000006
【図５】
2005116297.tif 000007
【図６】
2005116297.tif 000008
【図７】
2005116297.tif 000009
【図８】
2005116297.tif 000010
【図９】
2005116297.tif 000011
【図１０】
2005116297.tif 000012
【図１１】
2005116297.tif 000013
【図１２】
2005116297.tif 000014
【図１３】
2005116297.tif 000015
【図１４】
2005116297.tif 000016